(57)【要約】【課題】  挿入型のリーダライタとして使用することができると共に、オープン型のリーダライタとしても使用することができるようにする。【解決手段】  リーダライタ１は、第１の本体部２と第２の本体部３とが折畳み形状に保持されている状態で非接触ＩＣカード１３がカード挿入部１４に挿入されると、第１のアンテナ５または第２のアンテナ９によりカードアクセスを実行し、一方、第１の本体部２と第２の本体部３とがオープン形状に保持されている状態で非接触ＩＣカード１３が第１のアンテナ５に対向する部位と第２のアンテナ９に対向する部位とに跨って翳されたり置かれたりすると、第１のアンテナ５と第２のアンテナ９との双方によりカードアクセスを実行する。【選択図】  図１
2005157469.tif 000002
【特許請求の範囲】
【請求項１】
第１のアンテナを有する第１の本体部と、
第２のアンテナを有する第２の本体部と、
前記第１の本体部と前記第２の本体部とを前記第１のアンテナと前記第２のアンテナとが対向する折畳み形状に保持すると共に、前記第１の本体部と前記第２の本体部とを前記第１のアンテナと前記第２のアンテナとが略面一で並ぶオープン形状に保持する保持手段と、
カードアクセスを実行するカードアクセス実行手段とを備え、
前記カードアクセス実行手段は、前記第１の本体部と前記第２の本体部とが前記保持手段により折畳み形状に保持されている状態で非接触ＩＣカードが前記第１のアンテナと前記第２のアンテナとの間に挿入された場合に、前記第１のアンテナまたは前記第２のアンテナによりカードアクセスを実行すると共に、前記第１の本体部と前記第２の本体部とが前記保持手段によりオープン形状に保持されている状態で非接触ＩＣカードが前記第１のアンテナに対向する部位と前記第２のアンテナに対向する部位とに跨って翳されたり置かれたりした場合に、前記第１のアンテナと前記第２のアンテナとの双方によりカードアクセスを実行するように構成されていることを特徴とするリーダライタ。
【請求項２】
請求項１に記載したリーダライタにおいて、
前記第１の本体部と前記第２の本体部とが前記保持手段によりオープン形状に保持されているか否かを検出する形状検出手段を備え、
前記カードアクセス実行手段は、前記第１の本体部と前記第２の本体部とが前記保持手段によりオープン形状に保持されている旨が前記形状検出手段により検出された直後にカード検出用コマンドを送信することを特徴とするリーダライタ。
【請求項３】
請求項１または２に記載したリーダライタにおいて、
非接触ＩＣカードが前記第１のアンテナと前記第２のアンテナとの間に挿入されているか否かを検出するカード挿入検出手段を備え、
前記カードアクセス実行手段は、非接触ＩＣカードが前記第１のアンテナと前記第２のアンテナとの間に挿入されている旨が前記カード挿入検出手段により検出された直後にカード検出用コマンドを送信することを特徴とするリーダライタ。
【発明の詳細な説明】
【技術分野】
【０００１】
本発明は、カードアクセスを実行するように構成されたリーダライタに関する。
【背景技術】
【０００２】
リーダライタの種類としては、構造的な観点から大別すると、非接触ＩＣカードが挿入された状態でカードアクセスを実行する挿入型のものや、非接触ＩＣカードが翳されたり置かれたりした状態でカードアクセスを実行するオープン型のものなどがある（例えば特許文献１参照）。
【特許文献１】特開２０００−４８１３７号公報
【発明の開示】
【発明が解決しようとする課題】
【０００３】
ところで、非接触ＩＣカードをリーダライタに長時間保持して使用する用途では、挿入型のリーダライタの方がオープン型のリーダライタよりも使い勝手が良く、これに対して、非接触ＩＣカードをリーダライタに瞬間的に近づけて使用する用途では、オープン型のリーダライタの方が挿入型のリーダライタよりも使い勝手が良い。しかしながら、このような用途の相違に応じて挿入型のリーダライタとオープン型のリーダライタとを用意するのは煩雑であるという問題がある。
【０００４】
本発明は、上記した事情に鑑みてなされたものであり、その目的は、挿入型のリーダライタとして使用することができると共に、オープン型のリーダライタとしても使用することができ、使い勝手に優れたリーダライタを提供することにある。
【課題を解決するための手段】
【０００５】
請求項１に記載したリーダライタによれば、第１の本体部と第２の本体部とが保持手段により折畳み形状に保持されている状態で非接触ＩＣカードが第１のアンテナと第２のアンテナとの間に挿入されると、カードアクセス実行手段が第１のアンテナまたは第２のアンテナによりカードアクセスを実行するように構成したので、第１の本体部と第２の本体部とを折畳み形状に保持し、非接触ＩＣカードを第１のアンテナと第２のアンテナとの間に挿入することにより、従来の挿入型のリーダライタとして使用することができる。
【０００６】
これに対して、第１の本体部と第２の本体部とが保持手段によりオープン形状に保持されている状態で非接触ＩＣカードが第１のアンテナに対向する部位と第２のアンテナに対向する部位とに跨って翳されたり置かれたりすると、カードアクセス実行手段が第１のアンテナと第２のアンテナとの双方によりカードアクセスを実行するように構成したので、第１の本体部と第２の本体部とをオープン形状に保持し、非接触ＩＣカードを第１のアンテナに対向する部位と第２のアンテナに対向する部位とに跨って翳したり置いたりすることにより、従来のオープン型のリーダライタとして使用することができる。
【０００７】
このように１つのリーダライタを挿入型のリーダライタとして使用することができると共に、オープン型のリーダライタとしても使用することができ、これにより、使い勝手を高めることができる。また、第１の本体部と第２の本体部とをオープン形状に保持する構成では、第１のアンテナと第２のアンテナとの双方によりカードアクセスを実行するので、高電力を必要とする（高負荷の）非接触ＩＣカードにも対応することができる。
【０００８】
請求項２に記載したリーダライタによれば、第１の本体部と第２の本体部とが保持手段によりオープン形状に保持されている旨が形状検出手段により検出されると、その直後に、カードアクセス実行手段がカード検出用コマンドを送信するように構成したので、第１の本体部と第２の本体部とがオープン形状に保持されている状態で非接触ＩＣカードが第１のアンテナに対向する部位と第２のアンテナに対向する部位とに跨って置かれると、非接触ＩＣカードからのレスポンスを速やかに受信することができ、これ以後のカードアクセスを速やかに実行することができる。
【０００９】
請求項３に記載したリーダライタによれば、非接触ＩＣカードが第１のアンテナと第２のアンテナとの間に挿入されている旨がカード挿入検出手段により検出されると、その直後に、カードアクセス実行手段がカード検出用コマンドを送信するように構成したので、第１の本体部と第２の本体部とが折畳み形状に保持されている状態で非接触ＩＣカードが第１のアンテナと第２のアンテナとの間に挿入されると、非接触ＩＣカードからのレスポンスを速やかに受信することができ、これ以後のカードアクセスを速やかに実行することができる。
【発明を実施するための最良の形態】
【００１０】
以下、本発明の一実施形態について、図面を参照して説明する。図２は、リーダライタの構成を概略的に示している。リーダライタ１は、各々が平板状に形成されている第１の本体部２と第２の本体部３とがヒンジ４ａ，４ｂ（本発明でいう保持手段）を介して連結され、第１の本体部２と第２の本体部３との各々が回動中心線Ａ−Ａ´を回動中心として矢印Ｂ−Ｂ´方向に回動可能に構成されている。
【００１１】
第１の本体部２は、ループコイルからなる第１のアンテナ５が平面部６の略中心付近に内蔵されて平面部６の上面６ａがアンテナ面とされていると共に、枠部７，８が平面部６の上面６ａの両端側に回動中心線Ａ−Ａ´に対して直交する方向に延びるように形成されて構成されている。この場合、枠部７，８間の幅、つまり、平面部６にあって第１の本体部２の回動中心線Ａ−Ａ´方向の長さ（図２中「Ｌ１１」参照）は、例えばＩＳＯ／ＩＥＣ１４４４３などで規定されている非接触ＩＣカード１３の縦方向の長さ（図２中「Ｌ２１」参照）よりも僅かに長くなっている。また、第１の本体部２にあって回動中心線Ａ−Ａ´方向に対して直交する方向の長さ（図２中「Ｌ１２」参照）は、非接触ＩＣカード１３の横方向の長さ（図２中「Ｌ２２」参照）の「１／２」よりも僅かに長くなっている。
【００１２】
第２の本体部３は、上記した第１の本体部２と同様の構成となっている。つまり、第２の本体部３は、ループコイルからなる第２のアンテナ９が平面部１０の略中心付近に内蔵されて平面部１０の上面１０ａがアンテナ面とされていると共に、枠部１１，１２が平面部１０の上面１０ａの両端側に回動中心線Ａ−Ａ´に対して直交する方向に延びるように形成されて構成されている。この場合も、枠部１１，１２間の幅、つまり、平面部１０にあって第２の本体部３の回動中心線Ａ−Ａ´方向の長さも、非接触ＩＣカード１３の縦方向の長さよりも僅かに長くなっている。また、第２の本体部３にあって回動中心線Ａ−Ａ´方向に対して直交する方向の長さも、非接触ＩＣカード１３の横方向の長さの「１／２」よりも僅かに長くなっている。
【００１３】
ヒンジ４ａ，４ｂは、図１（ａ）に示すように、第１の本体部２と第２の本体部３とを第１のアンテナ５と第２のアンテナ９とが対向する（回動角度θ＝「１８０」度となる）折畳み形状に保持すると共に、図１（ｂ）に示すように、第１の本体部２と第２の本体部３とを第１のアンテナ５と第２のアンテナ９とが略面一で並ぶ（回動角度θ＝「０」度となる）オープン形状に保持するようになっている。
【００１４】
そして、第１の本体部２と第２の本体部３とが折畳み形状に保持された状態では、第１の本体部２の枠部７，８の上面７ａ，８ａと第２の本体部３の枠部１１，１２の上面１１ａ，１２ａとが接触して対向すると共に、第１の本体部２の平面部６の上面６ａと第２の本体部３の平面部１０の上面１０ａとが所定間隔を存して対向するようになっている。この場合、第１の本体部２の平面部６の上面６ａと第２の本体部３の平面部１０の上面１０ａとの所定間隔（図１中「Ｄ１」参照）は、非接触ＩＣカード１３の厚さ（図２中「Ｄ２」参照）よりも僅かに広く形成されてカード挿入部１４とされており、非接触ＩＣカード１３は、その略半分がカード挿入部１４に挿入されるようになっている。
【００１５】
これに対して、第１の本体部２と第２の本体部３とがオープン形状に保持された状態では、第１の本体部２の枠部７，８の上面７ａ，８ａと第２の本体部３の枠部１１，１２の上面１１ａ，１２ａとが略面一になると共に、第１の本体部２の平面部６の上面６ａと第２の本体部３の平面部１０の上面１０ａとが略面一になるようになっている。この場合、非接触ＩＣカード１３は、その略全体が第１のアンテナ５に対向する部位と第２のアンテナ９に対向する部位とに跨って翳されたり置かれたりするようになっている。また、この場合、非接触ＩＣカード１３は、置かれた状態では、枠部７，８と枠部１１，１２とにより位置決めされるようになっている。
【００１６】
図３は、上記したリーダライタの電気的な構成を機能ブロック図として示している。リーダライタ１は、制御部１５、カードアクセス実行部１６（本発明でいうカードアクセス実行手段）、アンテナ接続切替部１７、形状検出部１８（本発明でいう形状検出手段）、カード挿入検出部１９（本発明でいうカード挿入検出手段）、形状変更通知部２０および外部インタフェース部２１を備えて構成されている。
【００１７】
制御部１５は、ＣＰＵ、ＲＡＭ、ＲＯＭおよびＩ／Ｏバスを備え、制御プログラムを実行することによりリーダライタ１の動作全般を制御する。カードアクセス実行部１６は、制御部１５からの動作指示に基づいてカードアクセスを実行する。アンテナ接続切替部１７は、制御部１５からの切替指示に基づいて、カードアクセス実行部１６と第１のアンテナ５とを接続する第１の接続状態と、カードアクセス実行部１６と第２のアンテナ９とを接続する第２の接続状態と、カードアクセス実行部１６と第１のアンテナ５と第２のアンテナ９との双方を接続する第３の接続状態とを切替える。
【００１８】
形状検出部１８は、例えば第１の本体部２の枠部７の上面７ａに配置されている投光素子２２（図２参照）と第２の本体部３の枠部１１の上面１１ａに配置されている受光素子２３（図２参照）とにより構成され、投光素子２２から投じられた光（投光方向は図２中「Ｐ１」参照）が受光素子２３に受けられたか否かに基づいて第１の本体部２と第２の本体部３とが折畳み形状にあるかオープン形状にあるかを検出する。つまり、形状検出部１８は、第１の本体部２と第２の本体部３とが折畳み形状にある場合には、投光素子２２から投じられた光が受光素子２３に受けられることになるので、投光素子２２から投じられた光が受光素子２３に受けられている場合には、第１の本体部２と第２の本体部３とが折畳み形状にある旨を検出し、これに対して、投光素子２２から投じられた光が受光素子２３に受けられていない場合には、第１の本体部２と第２の本体部３とがオープン形状にある旨を検出し、それらの検出結果を制御部１５に出力する。尚、形状検出部１８は、これら投光素子２２と受光素子２３とにより構成されるものに限らず、例えば近接スイッチなどの他のもので構成されていても良い。
【００１９】
カード挿入検出部１９は、例えば第１の本体部２の平面部６の上面６ａに配置されている投光素子２４（図２参照）と第２の本体部３の平面部１０の上面１０ａに配置されている受光素子２５（図２参照）とにより構成され、投光素子２４から投じられた光（投光方向は図２中「Ｐ２」参照）が受光素子２５に受けられたか否かに基づいて非接触ＩＣカード１３がカード挿入部１４に挿入されているか否かを検出する。つまり、カード挿入検出部１９は、第１の本体部２と第２の本体部３とが折畳み形状にある場合に、非接触ＩＣカード１３がカード挿入部１４に挿入されていない場合には、投光素子２４から投じられた光が受光素子２５に受けられることになるので、投光素子２４から投じられた光が受光素子２５に受けられている場合には、非接触ＩＣカード１３がカード挿入部１４に挿入されていない旨を検出し、これに対して、投光素子２４から投じられた光が受光素子２５に受けられていない場合には、非接触ＩＣカード１３がカード挿入部１４に挿入されている旨を検出し、それらの検出結果を制御部１５に出力する。
【００２０】
形状変更通知部２０は、例えば第２の本体部３の平面部１０の下面１０ｂに配置されているＬＥＤ２６（図１，図２参照）により構成され、制御部１５からの点灯指示に基づいて点灯する。外部インタフェース部２１は、例えばヒンジ４ｂから引出されている接続ケーブル２７（図２参照）を通じて上位装置（図示せず）に接続され、上位装置との間で各種のコマンドやデータを送受信する。
【００２１】
次に、上記した構成の作用について、図４を参照して説明する。ここで、図４は、制御部１５が行う処理をフローチャートとして示している。
制御部１５は、起動すると、形状検出部１８の検出結果に基づいて第１の本体部２と第２の本体部３とが折畳み形状にあるかオープン形状にあるかを判定する（ステップＳ１，Ｓ２）。
【００２２】
ここで、制御部１５は、第１の本体部２と第２の本体部３とが折畳み形状にある旨を検出すると（ステップＳ１にて「ＹＥＳ」）、アンテナ接続切替部１７が第１の接続状態または第２の接続状態であるか否かを判定し（ステップＳ３）、アンテナ接続切替部１７が第１の接続状態または第２の接続状態である旨を検出すると（ステップＳ３にて「ＹＥＳ」）、カード挿入検出部１９の検出結果に基づいて非接触ＩＣカード１３がカード挿入部１４に挿入されたか否かを判定する（ステップＳ４）。
【００２３】
また、制御部１５は、アンテナ接続切替部１７が第１の接続状態または第２の接続状態でない旨を検出すると（ステップＳ３にて「ＮＯ」）、切替指示をアンテナ接続切替部１７に出力し、アンテナ接続切替部１７を第１の接続状態または第２の接続状態に切替えた後に（ステップＳ５）、カード挿入検出部１９の検出結果に基づいて非接触ＩＣカード１３がカード挿入部１４に挿入されたか否かを判定する（ステップＳ４）。
【００２４】
次いで、制御部１５は、非接触ＩＣカード１３がカード挿入部１４に挿入された旨を検出すると（ステップＳ４にて「ＹＥＳ」）、動作指示をカードアクセス実行部１６に出力し、カード検出用コマンドをカードアクセス実行部１６から第１のアンテナ５または第２のアンテナ９により送信させ（発行させ）（ステップＳ６）、非接触ＩＣカード１３からカード検出用コマンドに対するレスポンスがカードアクセス実行部１６に受信されたか否かを判定する（ステップＳ７）。
【００２５】
そして、制御部１５は、非接触ＩＣカード１３からカード検出用コマンドに対するレスポンスがカードアクセス実行部１６に受信された旨を検出すると（ステップＳ７にて「ＹＥＳ」）、これ以降、カードアクセス実行部１６にカードアクセスを実行させる（ステップＳ８）。これに対して、制御部１５は、非接触ＩＣカード１３からカード検出用コマンドに対するレスポンスがカードアクセス実行部１６に受信されなかった旨を検出すると（ステップＳ７にて「ＮＯ」）、ＬＥＤ２６を点灯させ（ステップＳ９）、折畳み形状からオープン形状への形状変更をユーザに促す。
【００２６】
以上に説明した一連の処理が行われることにより、ユーザは、第１の本体部２と第２の本体部３とを折畳み形状に保持し、非接触ＩＣカード１３をカード挿入部１４に挿入することにより、リーダライタ１を従来の挿入型のリーダライタとして使用することができる。
【００２７】
これに対して、制御部１５は、第１の本体部２と第２の本体部３とがオープン形状にある旨を検出すると（ステップＳ２にて「ＹＥＳ」）、アンテナ接続切替部１７が第３の接続状態であるか否かを判定し（ステップＳ１０）、アンテナ接続切替部１７が第３の接続状態である旨を検出すると（ステップＳ１０にて「ＹＥＳ」）、動作指示をカードアクセス実行部１６に出力し、カード検出用コマンドをカードアクセス実行部１６から第１のアンテナ５と第２のアンテナ９との双方により送信させ（ステップＳ１１）、非接触ＩＣカード１３からカード検出用コマンドに対するレスポンスがカードアクセス実行部１６に受信されたか否かを判定する（ステップＳ１２）。
【００２８】
また、制御部１５は、アンテナ接続切替部１７が第３の接続状態でない旨を検出すると（ステップＳ１０にて「ＮＯ」）、切替指示をアンテナ接続切替部１７に出力し、アンテナ接続切替部１７を第３の接続状態に切替えた後に（ステップＳ１３）、動作指示をカードアクセス実行部１６に出力し、カード検出用コマンドをカードアクセス実行部１６から第１のアンテナ５と第２のアンテナ９との双方により送信させ（ステップＳ１１）、非接触ＩＣカード１３からカード検出用コマンドに対するレスポンスがカードアクセス実行部１６に受信されたか否かを判定する（ステップＳ１２）。
【００２９】
そして、制御部１５は、この場合も、非接触ＩＣカード１３からカード検出用コマンドに対するレスポンスがカードアクセス実行部１６に受信された旨を検出すると（ステップＳ１２にて「ＹＥＳ」）、これ以降、カードアクセス実行部１６にカードアクセスを実行させる（ステップＳ８）。
【００３０】
以上に説明した一連の処理が行われることにより、ユーザは、第１の本体部２と第２の本体部３とをオープン形状に保持し、非接触ＩＣカード１３を第１のアンテナ５に対向する部位と第２のアンテナ９に対向する部位とに跨って翳したり置いたりすることにより、リーダライタ１を従来のオープン型のリーダライタとして使用することができる。
【００３１】
ところで、以上に説明した構成では、アンテナ接続切替部１７が第１の接続状態と第２の接続状態と第３の接続状態との３つの接続状態を切替える場合を説明したものであるが、アンテナ接続切替部１７は、少なくとも第１の接続状態および第２の接続状態のうちいずれか一方と第３の接続状態とを切替える構成であれば良く、つまり、第１の接続状態と第３の接続状態との２つの接続状態を切替える構成であっても良いし、また、第２の接続状態と第３の接続状態との２つの接続状態を切替える構成であっても良い。
【００３２】
以上に説明したように本実施形態によれば、リーダライタ１において、第１の本体部２と第２の本体部３とが折畳み形状に保持されている状態で非接触ＩＣカード１３がカード挿入部１４に挿入されると、カードアクセス実行部１６が第１のアンテナ５または第２のアンテナ９によりカードアクセスを実行するように構成したので、従来の挿入型のリーダライタとして使用することができ、これに対して、第１の本体部２と第２の本体部３とがオープン形状に保持されている状態で非接触ＩＣカード１３が第１のアンテナ５に対向する部位と第２のアンテナ９に対向する部位とに跨って翳されたり置かれたりすると、カードアクセス実行部１６が第１のアンテナ５と第２のアンテナ９との双方によりカードアクセスを実行するように構成したので、従来のオープン型のリーダライタとして使用することができる。
【００３３】
このようにリーダライタ１を挿入型のリーダライタとして使用することができると共に、オープン型のリーダライタとしても使用することができ、これにより、使い勝手を高めることができる。また、第１の本体部２と第２の本体部３とをオープン形状に保持する構成では、第１のアンテナ５と第２のアンテナ９との双方によりカードアクセスを実行するので、高電力を必要とする（高負荷の）非接触ＩＣカード１３に対応することもできる。
【００３４】
また、リーダライタ１において、第１の本体部２と第２の本体部３とがオープン形状に保持されている旨が検出されると、カードアクセス実行部１６がカード検出用コマンドを速やかに送信するように構成したので、非接触ＩＣカード１３が第１のアンテナ５に対向する部位と第２のアンテナ９に対向する部位とに跨って翳されたり置かれたりすると、非接触ＩＣカード１３からのレスポンスを速やかに受信することができ、これ以後のカードアクセスを速やかに実行することができる。
【００３５】
さらに、リーダライタ１において、第１の本体部２と第２の本体部３とが折畳み形状に保持されている場合に、非接触ＩＣカード１３がカード挿入部１４に挿入されている旨が検出されると、カードアクセス実行部１６がカード検出用コマンドを速やかに送信するように構成したので、非接触ＩＣカード１３がカード挿入部１４に挿入されると、非接触ＩＣカード１３からのレスポンスを速やかに受信することができ、この場合も、これ以後のカードアクセスを速やかに実行することができる。
【００３６】
本発明は、上記した実施形態にのみ限定されるものではなく、以下のように変形または拡張することができる。
非接触ＩＣカードに対するデータ読出処理およびデータ書込処理を行うリーダライタに適用する構成に限らず、非接触ＩＣカードに対するデータ読出処理のみを行うカードリーダに適用する構成であっても良い。
【００３７】
外部インタフェース部が無線通信に対応する構成であっても良い。
形状検出部を構成する１対の投光素子および受光素子とカード挿入検出部を構成する１対の投光素子および受光素子とを例えば検出パターンを変えることにより兼用する構成であっても良い。
形状変更通知部として、点灯動作を行うＬＥＤを採用する構成に限らず、鳴動動作を行うブザーを採用する構成であっても良く、また、それらＬＥＤとブザーとを併用する構成であっても良い。
【図面の簡単な説明】
【００３８】
【図１】本発明の一実施形態を概略的に示す図
【図２】外観斜視図
【図３】機能ブロック図
【図４】フローチャート
【符号の説明】
【００３９】
図面中、１はリーダライタ、２は第１の本体部、３は第２の本体部、４ａ，４ｂはヒンジ（保持手段）、５は第１のアンテナ、９は第２のアンテナ、１３は非接触ＩＣカード、１６はカードアクセス実行部（カードアクセス実行手段）、１８は形状検出部（形状検出手段）、１９はカード挿入検出部（カード挿入検出手段）である。
【図１】
2005157469.tif 000003
【図２】
2005157469.tif 000004
【図３】
2005157469.tif 000005
【図４】
2005157469.tif 000006